(57)【要約】【課題】低消費電力の撮像装置を提供する。【解決手段】  ＨＤカメラ１１０は、本体部２とビューファインダー１を備えている。ビューファインダー１は、撮像素子２１で撮像した信号を閲覧する表示部１３と、表示部１３を暖めるヒーター１２とを備えている。第一通風孔２７は、本体部２を冷却するため、騒音に配慮して配置された空冷用の通風孔である。第二通風孔２８は、表示部１３を放熱で温めるように配置された補助加熱用の通風孔である。制御部２４は、周囲温度に応じて前記第一通風孔及び／又は前記第二通風孔を切り換える制御を行う。この際、制御部２４は、低温環境では、第一通風孔２７からの放熱により前記表示部の補助的な加熱を行うよう制御する。また、制御部２４は、低温環境以外では、第二通風孔２８からの放熱により本体部２を放熱するよう制御する。【選択図】図１
2013110447.tif 000002
【特許請求の範囲】
【請求項１】
撮像素子と映像信号処理部を備えた本体部と、前記撮像素子で撮像した信号を閲覧する表示部と、前記表示部を暖めるヒーターとを備えた撮像装置において、
前記本体部を冷却するための空冷用の第一通風孔と、
前記表示部を前記本体部の熱で暖めるように配置された補助加熱用の第二通風孔と、
周囲温度に応じて前記第一通風孔及び／又は前記第二通風孔を切り換える制御を行う制御部とを備え、
前記制御部は、低温環境では、前記第二通風孔からの放熱により前記表示部の補助的な加熱を行い、低温環境以外では、前記第一通風孔からの放熱により前記本体部を放熱するよう制御する
ことを特徴とする撮像装置。
【発明の詳細な説明】
【技術分野】
【０００１】
本発明は、撮像装置に係り、特に撮像装置のビューファインダーの表示部の温度調整に特徴のある撮像装置に関する。
【背景技術】
【０００２】
従来から、放送局用等のＨＤ（Ｈｉｇｈ  Ｄｅｆｉｎｉｔｉｏｎ、高精細）カメラのカラー・ビューファインダーとして小型の液晶表示装置が使用されている。
液晶表示装置は、低温になると表示応答が遅くなり、残像を生じるという問題がある。このため、低温環境下で運用する場合、液晶表示装置をヒーターなどの加熱手段により加熱し、応答速度を確保する必要があった。
また、ＨＤカメラでは、撮像部や映像処理を行う演算部など発熱部品の放熱手段として冷却ファンを有している。しかし、番組収録時にファンの駆動音が騒音となり、音声収録の妨害となることがある。そのため、筐体内に温度センサーを内蔵し、ＣＰＵ（Ｃｅｎｔｒａｌ  Ｐｒｏｃｅｓｓｉｎｇ  Ｕｎｉｔ）等の制御手段で温度監視を行い、ファンの駆動を制御している。また、ＨＤカメラは筐体の通風孔の位置や形状が工夫されており、ファン駆動時にマイクロフォン（マイク）が騒音を収録しにくいように設計されている。
【０００３】
このように、液晶表示装置を加熱する従来のＨＤカメラの例として特許文献１を参照すると、映像素子の放熱板の一部を接合して撮像素子をダミー駆動させてヒーターの代わりとする撮像装置が記載されている（以下、従来技術１とする。）。
【先行技術文献】
【特許文献】
【０００４】
【特許文献１】特開２００９−２００６４６号公報
【発明の概要】
【発明が解決しようとする課題】
【０００５】
しかしながら、従来のＨＤカメラや従来技術１のように、加熱手段としてヒーターや撮像素子のダミー駆動等で電気的に発熱を生じさせると、無駄な電力が消費される。このため、屋外などで電源供給にバッテリーを用いる場合、低温環境下では、この無駄な消費電力により、常温環境下に比べ装置の運用時間が短くなるという課題があった。
このため、より電力効率が高いＨＤカメラが求められていた。
【０００６】
本発明は、このような状況に鑑みてなされたものであり、上述の課題を解消することを課題とする。
【課題を解決するための手段】
【０００７】
上記課題を解決するため、以下のような構成を用いた。
本発明の撮像装置は、撮像素子と映像信号処理部を備えた本体部と、前記撮像素子で撮像した信号を閲覧する表示部と、前記表示部を暖めるヒーターとを備えた撮像装置において、前記本体部を冷却するための空冷用の第一通風孔と、前記表示部を前記本体部の熱で暖めるように配置された補助加熱用の第二通風孔と、周囲温度に応じて前記第一通風孔及び／又は前記第二通風孔を切り換える制御を行う制御部とを備え、前記制御部は、低温環境では、前記第二通風孔からの放熱により前記表示部の補助的な加熱を行い、低温環境以外では、前記第一通風孔からの放熱により前記本体部を放熱するよう制御することを特徴とする。
【発明の効果】
【０００８】
本発明によれば、本体部の放熱をビューファインダーの表示部の加熱に用いることで、ヒーターによる加熱装置の使用時間を低減させ、低温環境下では省電力化し、常温環境下と同様の運用時間を確保できる撮像装置を提供することができる。
【図面の簡単な説明】
【０００９】
【図１】本発明の第１の実施の形態に係るＨＤカメラ１１０の制御構成を示すブロック図である。
【図２】本発明の第１の実施の形態に係る温度調整処理のフローチャートである。
【図３】本発明の第２の実施の形態に係るＨＤカメラ１２０の制御構成を示すブロック図である。
【図４】本発明の第２の実施の形態に係る温度調整処理のフローチャートである。
【図５】本発明の第３の実施の形態に係るＨＤカメラ１３０の制御構成を示すブロック図である。
【発明を実施するための形態】
【００１０】
＜第１の実施の形態＞
〔撮像装置１１０の構成〕
まず、図１と図２を参照して、本発明の第１の実施の形態に係る撮像装置１１０について詳しく説明する。
本実施形態の撮像装置１１０は、ＨＤカメラ等の業務用又は個人用の撮像装置であり、高性能の内部回路が発熱するため、例えば送風により冷却する。
撮像装置１１０は、主にビューファインダー１及び本体部２を備えている。
ビューファインダー１は、液晶や有機ＥＬ等の表示手段を備えた小型のディスプレイ装置である。ビューファインダー１は、本体部２の撮像素子２１で撮像した信号を閲覧し確認する小型のモニタとして機能する。この際、ビューファインダー１の表示部１３は、残像等を避けるために所定の温度範囲で動作させる。
本体部２は、ＨＤカメラ本体であり、ＨＤ動画像や静止画像を撮像するＨＤカメラである。本実施形態の本体部２は、回路の通常動作時に発熱した熱を、ファン等を用いてビューファインダー１に伝えて暖め、温度制御を行う。
【００１１】
撮像装置１１０のビューファインダー１は、主に、ＶＦ温度センサー１１、ヒーター１２、及び表示部１３を備える。
ＶＦ温度センサー１１は、サーミスタや赤外線センサーとＡ／Ｄコンバータ等を備えた温度センサーであり、ビューファインダー１の主に表示部１３の温度を測定する。
ヒーター１２は、電気抵抗やペルチェ素子等であり、表示部１３の温度を所定範囲に保つために主に加熱し、サーモスタットとして機能させることもできる。この温度の所定範囲としては、例えば−５℃〜５０℃程度のように、液晶素子とその他の電子回路が好適に駆動できる温度範囲を用いる。
表示部１３は、主に液晶表示装置や有機ＥＬ（Ｅｌｅｃｔｒｏ  Ｌｕｍｉｎｅｓｃｅｎｃｅ）やＭＥＭＳ（Ｍｉｃｒｏ  Ｅｌｅｃｔｒｏ  Ｍｅｃｈａｎｉｃａｌ  Ｓｙｓｔｅｍｓ）等を用いたビューファインダーの表示手段である。表示部１３は、上述したように、残像やコントラスト等について所望の表示性能を保つため、所定温度範囲で使用する。
なお、表示部１３の表示素子にＶＦ温度センサー１１やヒーター１２を内蔵するように構成してもよい。
【００１２】
撮像装置１１０の本体部２は、レンズ２０、撮像素子２１、映像信号処理部２２、カメラ温度センサー２３、制御部２４（制御手段）、冷却ファン２５（主熱伝送手段）、サブファン２６（副熱伝送手段）、第一通風孔２７（主放熱手段）、第二通風孔２８（副放熱手段）を備えている。
レンズ２０は、望遠レンズや広角レンズ等の光学レンズと絞りとフォーカスを備えた、例えば脱着可能なレンズである。レンズ２０は、撮像のための外光を撮像素子２１に導く機能を備える。なお、レンズ２０は３Ｄ（三次元）撮像用等のため、複数備えられていてもよい。
撮像素子２１は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子やＨＡＲＰ等の撮像管とＡ／Ｄコンバータ等を備えた部位である。撮像素子２１は、光信号を電気信号に変換してＨＤ画像を撮像することができる。撮像素子２１は、撮像に伴って発熱する。また、撮像素子２１は、撮像の際のＳ／Ｎ比を高めるため、ペルチェ素子等を用いて冷却することで本体部２の筐体内に熱を放出する。
映像信号処理部２２は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＤＳＰ（Ｄｉｇｉｔａｌ  Ｓｉｇｎａｌ  Ｐｒｏｃｅｓｓｏｒ）等の回路ある。映像信号処理部２２は、撮像素子２１からの電気信号を画像処理して所定の映像信号、例えばＨＤ−ＳＤＩ信号（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）等に変換する。映像信号処理部２２は、高い処理能力でＨＤ画像信号を処理するため発熱する。
カメラ温度センサー２３は、サーミスタや赤外線センサーとＡ／Ｄコンバータ等を備えた温度センサーであり、本体部２の筐体内部の温度を測定する。カメラ温度センサー２３は、具体的には、主に発熱する回路である、撮像素子２１、映像信号処理部２２、制御部２４等の発熱を監視できる。
制御部２４は、ＧＰＰ（Ｇｅｎｅｒａｌ  Ｐｕｒｐｏｓｅ  Ｐｒｏｃｅｓｓｏｒ）であるＣＰＵ、ＭＰＵ（Ｍｉｃｒｏ  Ｐｒｏｃｅｓｓｉｎｇ  Ｕｎｉｔ）等の制御演算部位である。制御部２４は、各部の制御を行う制御・演算処理により発熱する。
冷却ファン２５は、本体部２の内部の熱を伝送する冷却ファン及びヒートシンク等である。冷却ファン２５が伝送した内部の熱は、排気により第一通風孔２７から放出される。なお、冷却ファン２５により熱を伝える媒体として、通常は空気を用いる（空冷）が、これに限られず液冷等を用いることもできる。制御部２４は、本体部２の筐体内部が、例えば５〜４５℃程度の通常の動作温度になるよう、カメラ温度センサー２３の値を用いて、冷却ファン２５の回転数を制御する。
サブファン２６は、本体部２の内部の熱を伝送する冷却ファン及びヒートシンク等である。サブファン２６が伝送した内部の熱は、排気により第二通風孔２８から放出され、ビューファインダー１を暖めることができる。
第一通風孔２７は、本体部２の内部の熱を放出するための空冷の放熱用の開口部である。第一通風孔２７は、主に冷却ファン２５からの排気を放出する。また、第一通風孔２７は、騒音がマイクに収録されにくい背面等に配置されている。また、第一通風孔２７は、スリットや網等により、空気を通すものの、大きな異物が内部に入らないようにしている。また、第一通風孔２７は、排気音がマイクで収録されにくいように、マイクの装着部（図示せず）と離して側面や背面等に設けられ、形状等も工夫されている。
第二通風孔２８は、主にサブファン２６からの排気を、ビューファインダー１を暖めるために送出するための通風孔である。第二通風孔２８は、低温環境下で表示部１３を補助加熱することを目的として、表示部１３を放熱で温めるような配置とする補助加熱用の通風孔である。第二通風孔２８はビューファインダー１の近傍又は内部にあり、ヒートシンク等を介してビューファインダー１全体を暖めることができる。第二通風孔２８から放熱する際には、騒音が少なくなるよう、サブファン２６や冷却ファン２５の回転数を、定格の回転数に対して、低めの回転数に制御する。
なお、これに加えて、本体部２にはバッテリー等の電源を備えている。また、本体部２は、図示しないマイクロフォン等の音声入力手段を、第二通風孔２８から離して接続して備えることができる。
【００１３】
〔撮像装置１１０の温度調整処理〕
ここで、撮像装置１１０による温度調整処理について説明する。
本実施形態の温度調整処理では、撮像装置１１０は、２つのファンを備えており、それらのＯＮ／ＯＦＦ制御を行う。このため、撮像装置１１０の制御部２４は、低温環境とそれ以外において、冷却ファン２５とサブファン２６の動作を変更し、本体部２の内部の熱を用いてビューファインダー１の温度調整を行う。
以下、図２を参照して、本実施形態の温度調整処理の詳細についてステップ毎に詳しく説明する。
【００１４】
まず、ステップＳ１１１において、制御部２４は、電源投入後の起動と初期化の後、低温環境であるか否か判定する。具体的に、制御部２４は、ビューファインダー１の内部において、ＶＦ温度センサー１１で温度を検出する。この上で、制御部２４は、検出されたビューファインダー１の内部の温度が所定の閾値より低かった場合、低温環境であるためＹｅｓと判定する。それ以外の場合はＮｏと判定する。
Ｙｅｓの場合、制御部２４は、処理をステップＳ１１２に進める。
Ｎｏの場合、制御部２４は、処理をステップＳ１１４に進める。
【００１５】
ステップＳ１１２において、低温環境の場合、制御部２４は、まず、初期ヒーターＶＦ加熱処理を行う。
具体的には、制御部２４は、低温環境での起動時であるので、ビューファインダー１のヒーター１２をＯＮに制御し、表示部１３を加熱する。
ここで、制御部２４は、本体部２の内部について、カメラ筐体内の撮像素子２１及び映像信号処理部２２の発熱を、カメラ温度センサー２３で監視する。
制御部２４は、起動直後に、冷却ファン２５及びサブファン２６をともにＯＦＦに制御する。
この上で、制御部２４は、部品の発熱により本体部２が温まり、カメラ温度センサー２３で検出された温度が所定の閾値を超えた場合、処理をステップＳ１１３に進める。
【００１６】
ステップＳ１１３において、制御部２４は、ＶＦファン加熱処理を行う。
この処理では、制御部２４は、ＶＦ温度センサー１１とカメラ温度センサー２３の監視を行い、冷却ファン２５及びサブファン２６の駆動を制御する。
ここで、本体部２の内部の温度が所定の閾値を超えているため、制御部２４は、サブファン２６をＯＮに切り換える。これにより、制御部２４は、第二通風孔２８を介して、本体部２の筐体内の熱でビューファインダー１を温めることができる。この際に、制御部２４は、ヒーター１２をＯＦＦに制御する。
このとき、制御部２４は、冷却ファン２５についてもＯＮに制御する。この際、制御部２４は、ＰＷＭ等により、冷却ファン２５の回転数を、本体部２の筐体内の温度により制御して、騒音および電力消費を抑えた駆動制御を行う。これにより、第二通風孔２８へ排気する空気の流れを作ることができる。冷却ファン２５は、回転数が低いほど、騒音が少なくなる。また、本体部２の筐体内が熱くなってきた場合、所定温度以内になるように、冷却ファン２５の回転数を制御する。サブファン２６についても、ビューファインダー１が所定温度範囲内になるよう、できるだけ低く回転させることで、ビューファインダー１近辺にあるマイクにファンノイズが収録されることを抑えることができる。
また、制御部２４は、ＶＦ温度センサー１１を監視し、表示部１３の温度が所定範囲を超えて熱くなった場合には、冷却ファン２５の回転数を大きくし、サブファン２６の回転数を少なくするよう制御する。これにより、ビューファインダー１の温度を適切に保つことができる。
以上により温度調整処理を終了する。
【００１７】
ステップＳ１１４において、低温環境でなかった場合、制御部２４は、ＶＦファン冷却処理を行う。
具体的には、制御部２４は、ＶＦ温度センサー１１が通常〜高温を示している高温環境下における処理を行う。
制御部２４は、サブファン２６をＯＦＦに、冷却ファン２５をＯＮに制御する。これにより、本体部２の筐体内を、撮像素子２１と映像信号処理部２２を含めて冷却することができる。
また、制御部２４は、ビューファインダー１では、ヒーター１２をＯＦＦに制御する。このとき、制御部２４は、カメラ温度センサー２３により得られた温度に従って冷却ファン２５の回転数を制御する。この際、制御部２４は、マイクが騒音を収録しにくいように、第一通風孔２７より排気を行う。
以上により温度調整処理を終了する。
【００１８】
以上のように構成することで、以下のような効果を得ることができる。
まず、本発明の第１の実施の形態に係る撮像装置１１０は、騒音に配慮して配置された空冷用の第一通風孔２７と、ビューファインダー１の表示部１３を放熱で温めるよう配置された補助加熱用の第二通風孔２８とを備え、周囲温度に応じて通風孔の切り換え制御を行う。
すなわち、撮像装置１１０は、カメラの本体部２の放熱をビューファインダー１の表示部１３の加熱に用いる。このため、ＶＦ温度センサー１１の温度に従い、低温環境の場合は、本体部２の第二通風孔２８からの放熱により、表示部１３の補助的な加熱を行う。
これにより、ヒーター１２による加熱時間を低減させ、低温環境下における運用で省電力化でき、常温環境下と同等の消費電力での運用ができる。これにより、バッテリーでの運用時間が確保できる。
また、撮像装置１１０の制御部２４は、低温環境下でない場合、冷却ファン２５の回転数を本体部２の温度に従って制御する。この際、制御部２４は、サブファン２６をＯＦＦ、又は表示部１３が所定温度範囲になる程度に、回転を低く制御する。ここで、冷却ファン２５は、マイクが騒音を拾いにくいようにマイクから離されて配置されているため、マイクで録音されるファンノイズを少なくすることができる。
また、撮像装置１１０は、従来技術のように映像素子の放熱板の一部を接合するといった特殊な機構を備えない。このため、構造が簡単になりコストを下げることができる。さらに、撮像装置１１０は、表示部１３を含むビューファインダー１が脱着式の業務用カメラにも用いることができる。加えて、撮像素子２１と表示部１３とが離れている大型のＨＤカメラにも用いることができる。
【００１９】
また、本実施形態に係る撮像装置１１０の特徴をまとめると、以下のようになる。
撮像装置１１０は、撮像素子２１と映像信号処理部２２を備えた本体部２と、撮像素子２１で撮像した信号を閲覧する表示部１３と、表示部を暖めるヒーター１２と、本体部２を冷却するために騒音に配慮して配置された空冷用の第一通風孔２７と、表示部１３を放熱で温めるように配置された補助加熱用の第二通風孔２８と、周囲温度に応じて第一通風孔２７及び／又は第二通風孔２８を切り換える制御を行う制御部２４とを備え、制御部２４は、低温環境では、第二通風孔２８からの放熱により表示部１３の補助的な加熱を行い、低温環境以外では、第一通風孔２７からの放熱により本体部２を放熱するよう制御することを特徴とする。
撮像装置１１０は、制御部２４は、低温環境では表示部１３の補助加熱のため、騒音が少なくなるようサブファン２６及び冷却ファン２５の回転数を制御し、低温環境以外では本体部２を冷却するよう冷却ファン２５の回転数を制御しサブファン２６を止めることを特徴とする。
撮像装置１１０は、制御部２４が、低温環境ではヒーター１２を用いて表示部１３を補助加熱し、本体部２が暖まった後に第二通風孔２８から表示部１３を暖め、低温環境でない場合には、第一通風孔２７から本体部２の熱を放熱することを特徴とする。
撮像装置１１０は、複数の通風孔を筐体に有し、ビューファインダーの周囲温度に応じて、排気する通風孔の切り換え制御を行うことを特徴とする。
撮像装置１１０は、複数の通風孔を筐体に有し、ビューファインダーの周囲温度に応じて、排気する通風孔の切り換え制御を行うことを特徴とする。
撮像装置１１０は、通風孔からの放熱を利用して低温環境下におけるビューファインダーの表示部の補助的な加熱を行うことを特徴とする。
撮像装置１１０は、通風孔の切り換え手段として、複数のファンを備え、各ファンのＯＮ／ＯＦＦ制御を行うことを特徴とする。
【００２０】
＜第２の実施の形態＞
〔撮像装置１２０の構成〕
次に、図３と図４を参照して、本発明の第２の実施の形態に係る撮像装置１２０について、図面を参照して詳しく説明する。
第２の実施の形態に係る撮像装置１２０は、第一通風孔２７と第二通風孔２８とに対して、各通風孔の開閉制御を行う。
図３のブロック図において、図１と同じ符号を付した構成部位は、同様の機能を備える部位である。これに加えて、撮像装置１２０の本体部２は、第一通風孔開閉部３１（主熱伝送手段）と、第二通風孔開閉部３２（副熱伝送手段）とを備えている。
第一通風孔開閉部３１は、制御部２４で制御可能なアクチュエータ等を備えた電動のシャッター等である。第一通風孔開閉部３１は、冷却ファン２５からの送風を第一通風孔２７から出す／出さないように制御することができる。
第二通風孔開閉部３２は、第一通風孔開閉部３１と同様の構成の電動シャッター等である。第二通風孔開閉部３２は、冷却ファン２５からの送風を第一通風孔２７から出す／出さないように制御することができる。
【００２１】
〔撮像装置１２０の温度調整処理〕
ここで、撮像装置１２０による温度調整処理について説明する。
本実施形態の温度調整処理では、撮像装置１２０は、通風孔の切り換えとして、第一通風孔２７と第二通風孔２８の開閉の制御を行う。
以下で、図４を参照して、本実施形態の温度調整処理詳細についてステップ毎に詳しく説明する。
【００２２】
ステップＳ１２１において、図２のステップＳ１１１と同様に、制御部２４は、電源投入後の起動と初期化の後、低温環境であるか否か判定する。つまり、制御部２４は、ビューファインダー１の内部において、ＶＦ温度センサー１１で温度を検出し、所定の閾値より低い場合、低温環境下であるとしてＹｅｓと判定する。それ以外の場合、制御部２４は、Ｎｏと判定する。
Ｙｅｓの場合、制御部２４は、処理をステップＳ１２２に進める。
Ｎｏの場合、制御部２４は、処理をステップＳ１２４に進める。
【００２３】
ステップＳ１２２において、図２のステップＳ１１２と同様に、制御部２４は、初期ヒーターＶＦ加熱処理を行う。
具体的には、制御部２４は、ヒーター１２をＯＮに制御し、表示部１３の加熱を行う。
制御部２４は、撮像素子２１と映像信号処理部２２の発熱を、カメラ温度センサー２３で監視を行う。
これにより、制御部２４は、本体部２の内部の音頭が所定の閾値よりも高くなったと判断したらステップＳ１２３に処理を進める。
【００２４】
ステップＳ１２３において、制御部２４は、ＶＦ開閉制御処理を行う。
具体的に、制御部２４は、ＶＦ温度センサー１１とカメラ温度センサー２３の監視を行う。この上で、制御部２４は、冷却ファン２５を駆動しつつ、第一通風孔開閉部３１及び第二通風孔開閉部３２の開閉を制御して、ビューファインダー１の温度を管理する。
制御部２４は、起動直後は、冷却ファン２５をＯＦＦに制御する。
その上で、制御部２４は、部品の発熱により、本体部２のカメラ筐体内が温まると、第一通風孔開閉部３１を閉め、第二通風孔開閉部３２を開くよう制御する。
さらに、制御部２４は、冷却ファン２５を本体部２の筐体内の温度に対応するよう、できるだけ低い回転数で回し、第二通風孔２８を介して筐体内の熱でビューファインダー１を温める。その際、制御部２４は、ヒーター１２をＯＦＦ側へ制御する。
以上により、温度調整処理を終了する。
【００２５】
ステップＳ１２４において、低温環境でなかった場合、制御部２４は、ＶＦ開閉冷却処理を行う。
具体的には、制御部２４は、制御部２４で冷却ファン２５を、カメラ温度センサー２３の値に従い、本体部２の内部の温度を所定範囲に保つ回転数になるよう制御する。これにより、本体部２の撮像素子２１、映像信号処理部２２の冷却を行う。
また、制御部２４は、ビューファインダー１のヒーター１２をＯＦＦに制御する。
このとき、制御部２４は、第一通風孔開閉部３１を開き、第二通風孔開閉部３２を閉めるよう制御する。これにより、マイクが騒音を拾わないように、第一通風孔２７より排気する。
以上により、温度調整処理を終了する。
【００２６】
以上のように構成することで、本発明の第２の実施の形態の撮像装置１２０では、第一の実施の形態の撮像装置１１０の効果に加えて、以下のような効果が得られる。
本実施形態の撮像装置１２０は、第二通風孔２８用のサブファン２６を備えないため、消費電力を削減できる。これは、第二通風孔開閉部３２及び第一通風孔開閉部３１は、開閉部の制御時以外に電力を消費しないためである。
また、ファンが少なくなるため、ファン同士の共振による本体部２の振動やノイズも抑えることができる。このため、映像や音声のＳ／Ｎ比を高めて美麗な映像を撮像し音声を録音できる。
【００２７】
また、本実施形態に係る撮像装置１２０の特徴をまとめると、以下のようになる。
撮像装置１２０は、通風孔の切り換え手段として、通風孔の開閉制御を行うことを特徴とする。
【００２８】
＜第３の実施の形態＞
〔撮像装置１２０の構成〕
次に、図５を参照して、本発明の第３の実施の形態に係る撮像装置１３０について詳しく説明する。
図５のブロック図において、図１と同じ符号を付した構成部位は、同様の機能を備える部位である。
これに加えて、本実施形態の撮像装置１３０は、第一通風孔２７と第二通風孔２８に対して、風の流れを変更できる導風板３３（導風手段、主熱伝送手段、副熱伝送手段）を備えている。
導風板３３は、ステッピングモーター等により駆動する金属やプラスチック等で製造された導風部を備え、この導風部の動作により排気の制御を行う。
つまり、本実施形態の撮像装置１３０は、図３における第一通風孔開閉部３１及び第二通風孔開閉部３２の代わりに導風板３３を本体部２の筐体内に配置している。制御部２４は、導風板３３を制御して、排気の流れを第一通風孔２７及び／又は第二通風孔２８に向かわせる。
【００２９】
第３の実施の形態に係る撮像装置１３０は、第２の撮像装置１２０の温度調整処理と同様の処理を行う。
この際に、制御部２４は、第一通風孔開閉部３１と第二通風孔開閉部３２（図３）の制御の代わりに、導風板３３を制御する。すなわち、制御部２４は、それぞれ第一通風孔２７と第二通風孔２８から排気されるよう導風板３３を動かす。導風板３３の角度により、第一通風孔２７と第二通風孔２８とに向かう排気の風量を調整できる。このため、制御部２４は、導風板３３の駆動により、ビューファインダー１の暖め度合いと、本体部２の冷却度合いとを調整できる。
【００３０】
以上のように構成することで、以下のような効果を得ることができる。
本発明の第３の実施の形態の撮像装置１３０は、第一の実施の形態の撮像装置１１０及び本発明の第２の実施の形態の撮像装置１２０での効果に加えて、以下のような効果が得られる。
まず、本実施形態の撮像装置１３０は、１つの導風板３３により、第一通風孔２７と第二通風孔２８との排気を制御するため、部品点数が少なくなるという効果が得られる。
また、撮像装置１３０は、冷却ファン２５の排気の流路に沿って導風板３３を配置することで、風圧の抵抗が少なくなる。よって、冷却ファン２５の風量を少なくし、静音化することができる。また、撮像装置１３０は、導風板３３の制御だけで第一通風孔２７と第二通風孔２８の制御をすることができるため、制御部２４の制御を簡単にして、ビューファインダー１と本体部２の温度調整をしやすくすることができる。
【００３１】
また、本実施形態に係る撮像装置１３０の特徴をまとめると、以下のようになる。
撮像装置１３０は、通風孔の切り換え手段として、導風板の可動制御を行うことを特徴とする。
【００３２】
なお、上述の実施の形態においては、撮像装置１１０、１２０、１３０を空冷で冷却する場合について説明したが、これに限られない。
すなわち、水冷を始めとする液体冷却やヒートパイプ等を用いた冷却でも用いることができる。
【００３３】
なお、上記実施の形態の構成及び動作は例であって、本発明の趣旨を逸脱しない範囲で適宜変更して実行することができることは言うまでもない。
【符号の説明】
【００３４】
１  ビューファインダー
２  本体部
１１  ＶＦ温度センサー
１２  ヒーター
１３  表示部
２０  レンズ
２１  撮像素子
２２  映像信号処理部
２３  カメラ温度センサー
２４  制御部
２５  冷却ファン
２６  サブファン
２７  第一通風孔
２８  第二通風孔
３１  第一通風孔開閉部
３２  第二通風孔開閉部
３３  導風板
１１０、１２０、１３０  撮像装置
【図１】
2013110447.tif 000003
【図２】
2013110447.tif 000004
【図３】
2013110447.tif 000005
【図４】
2013110447.tif 000006
【図５】
2013110447.tif 000007